(57)【要約】【課題】複数の電子機器を分かり易く快適に操作することのできるリモコン装置を提供する。【解決手段】音声入力手段１７に所定の外部機器の名称音声が入力され音声認識手段によりこの名称入力が認識された場合に、音声出力手段１３からこの外部機器の名称音声の出力を行わせ、且つ、この外部機器に対応して記憶手段に格納されているリモコン信号の信号コードを複数の操作部ｋ１〜ｋ１２の一部又は全部に割り当て、この外部機器に対応して記憶手段に格納されている表示データに従って複数の操作表示部ｈ１〜ｈ１４の一部又は全部の表示内容を変更する。【選択図】図１
2008252283.tif 000002
【特許請求の範囲】
【請求項１】
外部機器へリモコン信号を出力するリモコン信号出力部と、
音声入力手段と、
該音声入力手段により入力された音声の認識処理を行う音声認識手段と、
音声出力手段と、
操作指令の入力が可能な複数の操作部と、
前記複数の操作部に対応づけられた複数の操作表示部と、
複数種類の外部機器にそれぞれ対応する前記リモコン信号の信号コードおよび前記操作表示部に表示出力させる表示データを格納する記憶手段と、
動作制御を行う制御手段と、
を備え、
前記制御手段は、
前記操作部から操作指令が入力された場合に、当該操作部に割り当てられた信号コードのリモコン信号を前記リモコン信号出力部から出力させ、
前記音声入力手段に所定の外部機器の名称音声が入力された場合に、
前記音声認識手段により当該外部機器の名称入力を認識して前記音声出力手段から該外部機器の名称音声の出力を行わせるとともに、
該外部機器に対応して前記記憶手段に格納されている前記リモコン信号の信号コードを前記複数の操作部の一部又は全部に割り当て、且つ、該外部機器に対応して前記記憶手段に格納されている前記表示データに従って前記複数の操作表示部の一部又は全部の表示内容を変更するように構成されていることを特徴とするリモコン装置。
【請求項２】
前記複数の操作部および前記複数の操作表示部が、複数に区分けされ、各区分が異なる外部機器の操作用に割当て可能にされていることを特徴とする請求項１記載のリモコン装置。
【請求項３】
前記記憶手段には、前記複数種類の外部機器にそれぞれ対応させて当該外部機器を動作させる際に連動してオン・オフさせる他の外部機器の情報が格納され、
前記制御手段は、
前記音声認識手段により名称入力を認識した外部機器に対応させて、前記記憶手段の情報に基づき連動してオン・オフさせる他の外部機器へオン又はオフのリモコン信号を送信可能な設定にすることを特徴とする請求項１又は２に記載のリモコン装置。
【請求項４】
外部機器の名称表示が可能な複数の名称表示部を備え、
前記制御手段は、
前記名称表示部に動作中の外部機器の名称表示を行わせることを特徴とする請求項１〜３の何れか１項に記載のリモコン装置。
【請求項５】
据置型の形態に形成され、
前記リモコン信号出力部として、赤外線により前記リモコン信号を四方へ出力可能な無指向性赤外線出力部、および、電力線を介して外部機器に前記リモコン信号を出力可能な電力線通信部を備えていることを特徴とする請求項１〜４の何れか１項に記載のリモコン装置。
【請求項６】
前記操作部、前記操作表示部、前記音声入力手段が設けられたハンディタイプのリモコン本体と、
据置型の形態に形成され、赤外線により前記リモコン信号を四方へ出力可能な無指向性赤外線出力部、電力線を介して外部機器に前記リモコン信号を出力可能な電力線通信部、前記音声出力部、前記リモコン本体の充電を行う充電手段が設けられたリモコン台と、
を備え、
前記リモコン本体と前記リモコン台とが分離可能に形成されていることを特徴とする請求項１〜４の何れか１項に記載のリモコン装置。
【発明の詳細な説明】
【技術分野】
【０００１】
この発明は、複数の外部機器にリモコン信号を送信可能なリモコン装置に関する。
【背景技術】
【０００２】
テレビ受像装置、エアコン、各種のオーディオ・ビジュアル機器等、電子機器にはそれぞれ専用の赤外線リモコンが備わっているのが通常である。
【０００３】
また、従来、複数の機器を１台のリモコンで統合して操作可能な学習リモコン、音声認識により操作内容を認識してリモコン信号出力を行う音声認識リモコンなどが開発されている（例えば特許文献１，２）。
【特許文献１】特開２００２−２８１５７２号公報
【特許文献２】特開２００１−１６６７９１号公報
【発明の開示】
【発明が解決しようとする課題】
【０００４】
複数の電子機器を専用のリモコンでそれぞれ操作する場合、ある機器を操作するのに対応するリモコンを捜すのに手間取ったり、リモコンごとに異なる操作ボタンを覚える必要があるなど、ユーザにとってリモコン操作は煩わしいものとなる。
【０００５】
また、従来の学習リモコンでは、操作対象の機器を切り替える際にどの機器に切り替わったのか分かり難く、切り換えた後でも暫くたつとどの機器の操作を行えるのか分からなくなることが多々あった。
【０００６】
また、複数の機器のリモコンキーを単に寄せ集めて１台のリモコンで統合して操作するようなリモコンを考えた場合、操作キーの数が膨大になり、見た目にも複雑でユーザにとって簡単な操作は実現されない。
【０００７】
また、音声認識を利用して操作内容を音声で指示するリモコンでは、音声認識率の確度の低さから誤操作が起きやすい。また、音声認識を行うのに比較的長い時間を要するため、音声指示から実際に機器が操作されるまでにタイムラグが生じ、快適な操作を望むことが出来ない。
【０００８】
この発明の目的は、複数の電子機器を分かり易く快適に操作することのできるリモコン装置を提供することにある。
【課題を解決するための手段】
【０００９】
本発明は、上記目的を達成するため、請求項１記載の発明は、外部機器へリモコン信号を出力するリモコン信号出力部と、音声入力手段と、該音声入力手段により入力された音声の認識処理を行う音声認識手段と、音声出力手段と、操作指令の入力が可能な複数の操作部と、前記複数の操作部に対応づけられた複数の操作表示部と、複数種類の外部機器にそれぞれ対応する前記リモコン信号の信号コードおよび前記操作表示部に表示出力させる表示データを格納する記憶手段と、動作制御を行う制御手段とを備え、前記制御手段は、前記操作部から操作指令が入力された場合に、当該操作部に割り当てられた信号コードのリモコン信号を前記リモコン信号出力部から出力させ、前記音声入力手段に所定の外部機器の名称音声が入力された場合に、前記音声認識手段により当該外部機器の名称入力を認識して前記音声出力手段から該外部機器の名称音声の出力を行わせるとともに、該外部機器に対応して前記記憶手段に格納されている前記リモコン信号の信号コードを前記複数の操作部の一部又は全部に割り当て、且つ、該外部機器に対応して前記記憶手段に格納されている前記表示データに従って前記複数の操作表示部の一部又は全部の表示内容を変更するように構成されていることを特徴としている。
【００１０】
請求項２記載の発明は、さらに、前記複数の操作部および前記複数の操作表示部が、複数に区分けされ、各区分が異なる外部機器の操作用に割当て可能にされていることを特徴としている。
【００１１】
請求項３記載の発明は、さらに、前記記憶手段には、前記複数種類の外部機器にそれぞれ対応させて当該外部機器を動作させる際に連動してオン・オフさせる他の外部機器の情報が格納され、前記制御手段は、前記音声認識手段により名称入力を認識した外部機器に対応させて、前記記憶手段の情報に基づき連動してオン・オフさせる他の外部機器へオン又はオフのリモコン信号を送信可能な設定にすることを特徴としている。
【００１２】
請求項４記載の発明は、さらに、外部機器の名称表示が可能な複数の名称表示部を備え、前記制御手段は、前記名称表示部に動作中の外部機器の名称表示を行わせることを特徴としている。
【００１３】
請求項５記載の発明は、さらに、据置型の形態に形成され、前記リモコン信号出力部として、赤外線により前記リモコン信号を四方へ出力可能な無指向性赤外線出力部、および、電力線を介して外部機器に前記リモコン信号を出力可能な電力線通信部を備えていることを特徴としている。
【００１４】
請求項６記載の発明は、さらに、前記操作部、前記操作表示部、前記音声入力手段が設けられたハンディタイプのリモコン本体と、据置型の形態に形成され、赤外線により前記リモコン信号を四方へ出力可能な無指向性赤外線出力部、電力線を介して外部機器に前記リモコン信号を出力可能な電力線通信部、前記音声出力部、前記リモコン本体の充電を行う充電手段が設けられたリモコン台とを備え、前記リモコン本体と前記リモコン台とが分離可能に形成されていることを特徴としている。
【発明の効果】
【００１５】
本発明に従うと、音声入力により操作対象の機器の変更・追加が可能であり、また、操作対象の機器が変更・追加された際には機器名称の音声出力が行われてそれにより確認することができる。従って、複数の電子機器を統合的に操作する場合でも、操作対象の機器の切り替えを分かり易く簡単に行うことができる。また、実際の操作は操作表示部の内容を見ながら操作部を操作して行うので確実で快適な操作を実現できる。
【発明を実施するための最良の形態】
【００１６】
以下、本発明の実施の形態を図面に基づいて説明する。
【００１７】
［第１実施形態］
図１は、本発明の第１実施形態のリモコン装置の外観を示す斜視図である。図２は、このリモコン装置の内部構成を示すブロック図である。
【００１８】
この実施の形態のリモコン装置１は、底面部が広く上方から下方にかけて末広型の形態に形成された据置型のリモコン装置である。リモコン装置１は、その前面部に、複数の操作キーｋ１〜ｋ１３と、操作内容や操作対象等を表示する複数の表示部（第１表示部ｈ１〜第１４表示部ｈ１４）と、音声入力が可能なマイク１７等が設けられている。また、本体側面や上部には、音声合成された音声出力を行うスピーカ１３と、四方へ赤外線を出射するリモコン信号出力部としての無指向性赤外線出力部（ＩＲ発光部）１４等が設けられている。
【００１９】
また、リモコン装置１には、図２に示すように、機器の全体的な制御を行うコントローラ２０と、リモコン用の設定データが格納される設定メモリ１１と、音声合成データが格納される音声メモリ１２と、電力線を介してリモコン信号（コマンドコード）を出力するリモコン信号出力部としての電力線通信モジュール１８等が設けられている。
【００２０】
上記の複数の表示部のうち、表示部ｈ１，ｈ２，ｈ７〜ｈ１４により操作キーに対応した操作内容が表示される操作表示部が構成され、表示部ｈ３〜ｈ６により、操作対象や動作状態の機器名称が表示される名称表示部が構成される。なお、名称表示部である４つの表示部ｈ３〜ｈ６には、機器名称以外にも機器の動作状態の表示等も行われるようになっている。
【００２１】
コントローラ２０には、音声認識を行う処理モジュール、リモコン操作用の処理を行う制御モジュール、音声メモリ１２から音声データを入力して合成音声の信号を出力する音声合成モジュール等が、ＣＰＵ（中央演算処理装置）により実行されるソフトウェアとして備わっている。
【００２２】
次に、リモコン装置１の動作概要を説明する。
【００２３】
図３は、リモコン装置が用いられる室内の状況の一例を示した図、図４〜図７は、各使用状態におけるリモコン装置の操作部と表示部の状態を示した図である。
【００２４】
リモコン装置１は、図３に示すように、複数の電子機器１０１〜１０７が設置されている部屋等で使用されるものである。詳細は後述するが、リモコン装置にはこれら複数の電子機器のリモコン信号の信号コードや各表示部ｈ１〜ｈ１４に表示させる表示データ、電子機器を動作させる際に連動させてＯＮ・ＯＦＦする他の電子機器の情報などが設定されている。
【００２５】
このような状態で、ユーザが「テレビ」等の機器名称を表わす音声をリモコン装置１に向かって発すると、リモコン装置１でこの音声認識がなされて、先ず、リモコン装置１から「テレビ」などの音声合成の出力が行われて、「テレビ」の音声入力が正常に行われたことがユーザに確認される。さらに、この音声認識に基づいて、リモコン装置１の設定がテレビ視聴用に複数の電子機器の動作可能状態に切り替えられる。
【００２６】
次にリモコン装置の「テレビ」の電源キーを操作することで、リモコン装置１から各電子機器にテレビ出力用にオン信号やオフ信号のリモコン信号が出力される。例えば、プロジェクタ１０３、テレビチューナ１０６、オーディオ１０５へ、それぞれ電源オンのリモコン信号が送信されて、プロジェクタ１０３からテレビ出力、オーディオ１０５からその音声出力が行われる。また、ＤＶＤレコーダ１０７にも電源オンのリモコン信号が出力されて、テレビ録画が可能な状態にされる。さらに、照明１０４に暗動作のリモコン信号、電動カーテンに閉動作のリモコン信号が送られて、部屋が暗くされる。これらにより、部屋のシチュエーションがプロジェクタを用いてテレビ視聴を行う状態に変更される。
【００２７】
また、図４に示すように、リモコン装置１では、「テレビ」の音声入力により、オン動作された電子機器のうちリモコン操作に関わる電子機器の名称表示が表示部ｈ３〜ｈ６に行われる。また、各操作キーｋ１〜ｋ１２に、これら電子機器に対応するリモコン信号の信号コードが対応づけられ、各表示部ｈ１，ｈ２，ｈ７〜ｈ１４にその操作内容を表わした表示が出力される。
【００２８】
ユーザは、このようなリモコン装置１の切り替わりにより、テレビ視聴をしながら操作キーｋ１〜ｋ１２を操作して、テレビチャンネルを換えたり、音量を変えたり、ＤＶＤ録画を行ったりすることが可能とされる。
【００２９】
次に、この状態で、ユーザが「ＤＶＤ」などの音声をリモコン装置１に向かって発するとする。すると、リモコン装置１でこの音声認識がなされて、先ず、「ＤＶＤ」の音声合成出力がなされるとともに、リモコン装置１の設定や部屋のシチューションがＤＶＤ視聴用に切り換えられる。次にＤＶＤ用の操作キー、例えば「再生」を押すことにより、リモコン装置１から、ＤＶＤレコーダ１０７へ再生のリモコン信号が送られ、テレビ出力からＤＶＤレコーダの出力に切り換えられる。
【００３０】
また、リモコン装置１では、図５に示すように、上記の「ＤＶＤ」の音声認識により、ＤＶＤレコーダ１０７の操作用の設定はそのまま残された状態で、表示部ｈ４，ｈ５からテレビの名称表示や放送チャンネルの表示が消去され、また、テレビチューナ１０６を操作するためのキー設定やそれに対応した表示内容が消去される。これにより、リモコン装置１の設定がＤＶＤ視聴用のものに変更される。
【００３１】
その他、図６に示すように、ユーザが「エアコン」などの音声をリモコン装置１に向かって発すると、リモコン装置１でこの音声認識がなされて、「エアコン」の音声合成出力がなされるとともに、リモコン装置１の設定がエアコン操作用のものに切り換えられる。例えば、操作キーｋ１，ｋ３〜ｋ１２の設定がエアコン操作用に切り替えられ、それに対応する表示部ｈ１，ｈ７〜ｈ１４の表示内容もエアコン操作用の表示に切り替えられる。さらに、機器名称やその状態表示が行われる表示部ｈ３〜ｈ６の内容もエアコン用の表示に切り替えられる。
【００３２】
なお、このようにリモコン設定が切り替えられる場合でも、この切り替わりに関係のない操作キーｋ２やそれに対応する表示部ｈ２の内容は、前の設定状態（図６では照明の操作キー）がそのまま残されるように構成しても良い。
【００３３】
また、図示はしないが、各機器の詳細項目の設定操作も、音声入力によりリモコン装置１によって操作可能なように構成することもできる。例えば、「色あい」と音声入力することで、「色あい」と音声合成出力が行われた後、リモコン装置１の幾つかの操作キーやそれに対応した表示部の表示内容が、ＤＶＤレコーダ１０７の「色あい」を操作するためのものに切り替えられて、ユーザにより詳細項目「色あい」の設定操作を可能とすることができる。
【００３４】
また、図７に示すように、「終了」と音声入力すると、「終了」と音声合成出力が行われるとともに、リモコン装置１の設定がほぼ全ての電子機器に対して電源オフの操作を可能とする内容に切り替えられる。詳細には、「全終了」キーにより機器を一度に終了させる他に、下側の操作キーｋ７〜ｋ１２により個別に各電子機器に対して電源オフの操作が可能にされるとともに、表示部ｈ３〜ｈ８の表示も終了を示す表示内容に切り替えられる。この設定により、ユーザはオーディオ１０５からエアコン１０２まで、各電子機器の電源を個別にオフすることが可能となる。
【００３５】
さらに、上記のようなリモコン装置１の切り替えにおいて、切り替えてから一定時間内に取消キーｋ１３を押すことで、リモコン装置１の設定が前の状態に戻るようになっている。ここで、以前の切り替え時に、リモコン装置１から他の電子機器へ電源オンや電源オフのリモコン信号が送信されて自動的な電源操作が行われていた場合には、取消キーｋ１３の操作によりリモコン装置１から上記の電源操作と逆の電源操作が行われて、部屋のシチュエーションも元の状態に戻されるようにしても良い。
【００３６】
次に、上記の動作内容を実現する制御データや制御プログラムの一例を説明する。
【００３７】
図８は、図２の設定メモリ１１に格納される各電子機器に対応された設定データの一例を示すデータチャートである。
【００３８】
設定メモリ１１には、図８に示すように、音声入力可能な名称の各々に応じてリモコン装置１の設定を変更するためのデータがそれぞれ格納されている。例えば、音声入力により予め認識可能に設定されている機器名称（例えば、「ＤＶＤ」、「エアコン」、「テレビ」など）、音声入力により予め認識可能に設定されている詳細項目名（例えば「色あい」など）、音声入力により予め認識可能に設定されているその他コマンド名称（例えば「終了」など）のそれぞれに応じて、これらの音声入力がなされたときに、電源のオン・オフ操作を行う電子機器の情報、操作キーｋ１〜ｋ１２の一部又は全部に対応づけるリモコン信号の信号コード、表示部ｈ１〜ｈ１２の一部又は全部に出力させる表示内容を示した表示データが、それぞれ格納されている。
【００３９】
このような設定データにより、例えば、何らかの音声入力がなされて、設定メモリ１１からこの音声入力された名称に対応する設定データを読み出してくることで、音声入力の内容に応じたリモコン装置１の操作キーｋ１〜ｋ１２の設定、ならびに、リモコン装置１の表示部ｈ１〜ｈ１４の表示内容の変更等が可能となる。
【００４０】
図９は、リモコン装置のコントローラにより実行されるゼネラルフローのフローチャートである。
【００４１】
このゼネラルフローは、リモコン装置１が電源オンされることでコントローラ２０のＣＰＵにより開始され、電源オフされるまでループ処理により繰り返し実行される処理である。この処理が開始されると、先ず、ステップＳ１〜Ｓ４において、マイク１７からの音声入力を行って、音声入力があった場合に音声認識と認識された音声入力に応じた音声指令ルーチンとを実行する処理を行う。
【００４２】
続いて、ステップＳ５〜Ｓ８において、操作キーｋ１〜ｋ１２からのキー入力処理を行って、キー入力があった場合に、操作キーに対応づけられたリモコン信号用の信号コードを読み出し、それを無指向性赤外線出力部（ＩＲ発光部）１４から出力させたり、電力線通信モジュール１８を介して送信する処理を行う。
【００４３】
また、取消キーｋ１３による設定の取り消しを、設定の切り替えから一定時間経過したら行えなくなるようにするため、変更取消を可能とする期間の経過を計時する処理と、可能期間を経過したら変更フラグを「０」に戻す処理（ステップＳ９，Ｓ１０）を行う。
【００４４】
そして、このようなステップＳ１〜Ｓ１０の処理を繰り返し実行することで、音声入力やキー入力に応じた各処理が実現されるようになっている。なお、このフローチャートでは、音声入力に係る処理（ステップＳ１〜Ｓ４）とキー入力に係る処理（ステップＳ５〜Ｓ８）を１つのシーケンス処理の中で行っているが、これらを別々に並列的に実行させるようにしても良い。
【００４５】
図１０は、図９のステップＳ４で実行される音声指令ルーチンのフローチャートである。
【００４６】
音声認識がなされてこの音声指令ルーチンに移行したら、先ず、その音声入力の内容が判別されて（ステップＳ２１，Ｓ２８，Ｓ３４）、その判別結果に応じた処理に振り分けられる。すなわち、音声入力の内容が対応する機器名称（例えば「テレビ」、「ＤＶＤ」、「エアコン」など）であれば、ステップＳ２２に移行して、まず、認識した機器名称と同一の音声出力を音声合成により出力させる。この処理により、ユーザは正しく音声入力がなされたか確認することができる。
【００４７】
次いで、当該電子機器に対応して設定メモリ１１に格納されているＯＮＯＦＦデータを読み出して、連動してオン・オフさせる電子機器があれば、その電子機器に電源オンや電源オフのリモコン信号を送信するための信号コードを一つの操作キーに割りあてる。さらに、設定メモリ１１から対応するリモコン信号の信号コードや表示データを読み出して、これらによりリモコン装置１の操作キーｋ１〜ｋ１２や表示部ｈ１〜ｈ１４の該当する内容を変更する（ステップＳ２３〜Ｓ２５）。また、取消キーｋ１３での操作を可能とするためにリモコン装置１で設定変更が行われたことを示す変更プラグを「１」にセットする（ステップＳ２６）。
【００４８】
なお、上記ＯＮＯＦＦデータに基づいて電源をオン・オフさせた電子機器がある場合には、それに対応させてリモコン装置１の設定も変更するようにしても良い。すなわち、電源オンした電子機器があれば、リモコン装置１にそれに対応する操作キーや表示部の設定内容を反映させたり、電源オフさせた電子機器があれば、それに対応する操作キーや表示部の設定内容を消去するような処理を行っても良い。
【００４９】
また、音声入力の内容が「色あい」などの詳細項目であれば、ステップＳ２８に移行して、上記の機器名称が入力された場合とほぼ同様に、それに応じた音声合成出力（ステップＳ２８）や、リモコン信号の信号コードや表示データの設定変更（ステップＳ２９〜Ｓ３１）を行うとともに、変更フラグを「１」にセットする処理（ステップＳ３２）を行う。
【００５０】
その他、音声入力の内容が「終了」等のコマンド名称であれば、ステップＳ３４に移行して、上記の機器名称が入力された場合とほぼ同様に、コマンド名称に応じた音声合成出力（ステップＳ３４）や、リモコン信号の信号コードや表示データの設定変更（ステップＳ３５〜Ｓ３７）を行うとともに、変更フラグを「１」にセットする処理（ステップＳ３８）を行う。
【００５１】
上記のようなゼネラルフロー（図９）と音声指令ルーチン（図１０）の処理により、ユーザが音声入力を行うことで複数の電子機器のオン・オフ状態を切り替えて、部屋のシチュエーションを変更したり、また、リモコン装置１の設定状態を音声入力の内容に応じたものに変更したりできるようになっている。また、操作キーｋ１〜ｋ１２を操作することで、それに応じたリモコン信号が出力されて、該当する電子機器をリモートコントロールできるようになっている。
【００５２】
図１１は、取消キーが押された際に実行される取消キー割込み処理のフローチャートである。
【００５３】
取消キー割込み処理は、上述の図９や図１０の処理が行われている際に、取消キーｋ１３が操作された場合に、割込み処理としてコントローラ２０のＣＰＵにより実行されるものである。取消キーｋ１３が操作されて、この処理に移行したら、先ず、変更フラグを確認して（ステップＳ４１）、「１」であれば設定状態を以前の状態に戻す処理（ステップＳ４２〜Ｓ４５）に移行し、変更フラグが「０」であれば、元の状態に戻せないものとして、この割込み処理を終了する。
【００５４】
設定状態を戻す処理では、先ず、変更前に設定されていたリモコン信号の信号コードや表示内容を読み出して、これらに基づき、対応する表示部ｈ１〜ｈ１４の表示内容や対応する操作キーｋ１〜ｋ１２の設定データを変更する（ステップＳ４２〜Ｓ４４）。そして、変更フラグを「０」にセットして（ステップＳ４５）、この割込み処理を終了する。なお、変更前の設定データは、図１０の設定変更処理（ステップＳ２４，Ｓ２５，Ｓ３０，Ｓ３１，Ｓ３６，Ｓ３７）の際に、以前の設定データを待避用のメモリ領域に格納しておくことで、この割込み処理のステップＳ４２において読み出せるように構成する。
【００５５】
以上のように、この実施形態のリモコン装置１によれば、複数の電子機器を１台のリモコン装置１で統合的に操作することが出来るとともに、操作キーの内容を切り替えて用いることで、少ない操作キーで複数の電子機器を操作することが出来る。また、操作キーの近傍に表示部が設けられ、そこに操作キーによる操作内容が表示されるので、操作キーの内容が切り替えられても、操作内容が分からなくなることがない。
【００５６】
また、操作対象機器の切替や追加は音声入力により行われるので、スイッチ等で切り替えるのと比べて分かり易く操作対象の切替・追加を行うことが出来る。また、音声入力された際に、この入力名称が音声合成によりリモコン装置１から出力されるので、ユーザはこの音声合成の出力を聞いて正しく音声入力されたか確認することが出来る。
【００５７】
さらに、機器への実際の操作は、操作キーｋ１〜ｋ１３を操作することで行うので、音声入力で行う場合等と比べて、確実でタイムラグも生じることなく快適な操作を実現できる。また、表示部ｈ３〜ｈ６に機器名称が表示されるので、操作対象や動作状態の機器の把握ができて、操作対象が見失うことがなくなる。
【００５８】
また、１台の電子機器を操作対象として音声入力した場合に、それと連動してオン・オフされるべき電子機器に対して、自動的に電源オンや電源オフのリモコン信号が送信されるので、それにより、部屋全体のシチュエーションを一気に切り替えることが出来るという効果も得られる。
【００５９】
［第２実施形態］
図１２は、第２実施形態のリモコン装置１Ｂの外観を示す正面図、図１３は、このリモコン装置１Ｂの内部構成を示すブロック図である。
【００６０】
第２実施形態のリモコン装置１Ｂは、ハンディタイプの形態にされたもので、動作内容は第１実施形態のものとほぼ同様のものである。この実施形態ではハンディタイプの形態としたため、スピーカ１３ｂは装置下部等に設け、また、赤外線信号を出力するＩＲ発光部１４ｂは装置上部に設けられている。また、電力線通信モジュールは備えていない。
【００６１】
このような構成としても、第１実施形態で示したのとほぼ同様の作用効果を得ることが出来る。
【００６２】
［第３実施形態］
図１４は、第３実施形態のリモコン装置の外観を示す正面図、図１５は、このリモコン装置の内部構成を示すブロック図である。
【００６３】
第３実施形態のリモコン装置１Ｃは、ハンディタイプのリモコン本体１Ｃ−ａと、このリモコン本体１Ｃ−ａを設置可能とした据置型のリモコン台１Ｃ−ｂとからなるものである。リモコン本体１Ｃ−ａとリモコン台１Ｃ−ｂとは無線通信部２４，２５を介して無線通信可能なように構成され、リモコン本体１Ｃ−ａのコントローラ２０ａとリモコン台１Ｃ−ｂのコントローラ２０ｂとが、無線通信によりデータやコマンドをやり取りしながら図９〜図１１の処理を協働して実行するようになっている。
【００６４】
リモコン本体１Ｃ−ａは、二次電池２８からの電源供給により動作するととともに、リモコン台１Ｃ−ｂに設置した場合に、その電源回路２６から充電用の電圧を受けて、充電制御回路２７により二次電池２８の充電が行われるようになっている。
【００６５】
このような構成によれば、第１実施形態での作用効果に加えて、リモコン本体１Ｃ−ａを手にもった状態で操作対象の切替や対象機器のリモート操作が出来るので、操作性がさらに向上するという効果がある。また、リモコン信号は無指向性赤外線出力部１４や電力線通信モジュール１８を介して送信されるので、四方に配置されている複数の電子機器へ確実にリモコン信号を送信することが出来るという効果が奏される。
【００６６】
なお、本発明は、上記第１〜第３の実施の形態に限られるものではなく、様々な変更が可能である。例えば、リモコン装置の形状、操作キーの数や種類、表示部の数や配置などは、種々の変更が可能である。また、操作キーを画面に表示された表示キーとしてタッチパネルにより入力可能な構成としても良い。その他、設定メモリに格納される設定データのデータ構成、音声入力された場合の具体的な処理内容など、実施の形態で示した細部は一例に過ぎず、発明の趣旨を逸脱しない範囲で適宜変更可能である。
【図面の簡単な説明】
【００６７】
【図１】本発明の第１実施形態のリモコン装置の外観を示す斜視図である。
【図２】図１のリモコン装置の内部構成を示すブロック図である。
【図３】リモコン装置が用いられる室内の状況の一例を示した図である。
【図４】各使用状態におけるリモコン装置の操作部と表示部の状態の第１例を示した図である。
【図５】各使用状態におけるリモコン装置の操作部と表示部の状態の第２例を示した図である。
【図６】各使用状態におけるリモコン装置の操作部と表示部の状態の第３例を示した図である。
【図７】終了動作時におけるリモコン装置の操作部と表示部の状態を示した図である。
【図８】設定メモリに格納される各機器ごとの設定データを示すデータチャートである。
【図９】リモコン装置のコントローラにより実行されるゼネラルフローのフローチャートである。
【図１０】図９のステップＳ４で実行される音声指令ルーチンのフローチャートである。
【図１１】取消キーが押された際に実行される取消キー割込み処理のフローチャートである。
【図１２】第２実施形態のリモコン装置の外観を示す正面図である。
【図１３】図１２のリモコン装置の内部構成を示すブロック図である。
【図１４】第３実施形態のリモコン装置の外観を示す正面図である。
【図１５】図１４のリモコン装置の内部構成を示すブロック図である。
【符号の説明】
【００６８】
１            リモコン装置
１１          設定メモリ
１２          音声メモリ
１３          スピーカ
１４          ＩＲ発光部（無指向性赤外線出力部）
１７          マイク
２０          コントローラ
ｋ１〜ｋ１３  操作キー
ｈ１〜ｈ１４  表示部
１Ｂ，１Ｃ    リモコン装置
１Ｃ−ａ      リモコン本体
１Ｃ−ｂ      リモコン台
２４，２５    無線通信部
２６          電源回路
２７          充電制御回路
２８          二次電池
【図１】
2008252283.tif 000003
【図２】
2008252283.tif 000004
【図３】
2008252283.tif 000005
【図４】
2008252283.tif 000006
【図５】
2008252283.tif 000007
【図６】
2008252283.tif 000008
【図７】
2008252283.tif 000009
【図８】
2008252283.tif 000010
【図９】
2008252283.tif 000011
【図１０】
2008252283.tif 000012
【図１１】
2008252283.tif 000013
【図１２】
2008252283.tif 000014
【図１３】
2008252283.tif 000015
【図１４】
2008252283.tif 000016
【図１５】
2008252283.tif 000017